(57)【要約】      （修正有）【課題】あおいで風を起こす用途の他に、ルーペとしての機能を付け加えて付加価値を高めたうちわを提供する。【解決手段】円形状又は楕円形状の２枚の厚紙材１２同士を貼り合わせて形成される扇部１３と、該扇部１３に設けられる把持用の把持手段とからなるうちわ１１であって、扇部１３は、レンズ部材１４を有する窓部１５を設けると共に、レンズ部材１４の縁部１４ａが窓部１５の内周縁における厚紙材１２同士の間に挟持されて貼着している。【選択図】図１
0003171312.tif 000002
【実用新案登録請求の範囲】
【請求項１】
円形状又は楕円形状の２枚の厚紙材同士を貼り合わせて形成される扇部と、該扇部に設けられる把持用の把持手段とからなるうちわであって、
前記扇部は、レンズ部材を有する窓部を設けると共に、前記レンズ部材の縁部が前記窓部の内周縁における前記厚紙材同士の間に挟持されて貼着していること
を特徴とするうちわ。
【請求項２】
前記把持手段は、前記扇部に取り付けられた長板状の柄部又は前記扇部に設けられた指を差し入れるための孔部であること
を特徴とする請求項１に記載のうちわ。
【請求項３】
前記レンズ部材は、シート状レンズ又はホログラムレンズであること
を特徴とする請求項１に記載のうちわ。
【請求項４】
半円形状又は半楕円形状の厚紙材で形成され、該厚紙材の円形状側を扇部とし円形状側と反対側を把持部とするうちわであって、
該把持部の両端部には、それぞれレンズ部材を有する窓部を設け、
該窓部の近傍には、当該窓部を切り離すための切取線が設けられていること
を特徴とするうちわ。
【請求項５】
前記レンズ部材の縁部が前記窓部の近傍に粘着テープ又は粘着剤で取り付けられていること
を特徴とする請求項４に記載のうちわ。
【請求項６】
前記レンズ部材は、一方の窓部がシート状レンズであり、他方の窓部がホログラムレンズであること
を特徴とする請求項４に記載のうちわ。
【考案の詳細な説明】
【技術分野】
【０００１】
本考案は、主に販促品として店頭などで配布されるうちわに関するものであり、更に詳しくは、あおいで風を起こす用途の他に、ルーペとしての機能を付け加えて付加価値を高めたうちわに関するものである。
【背景技術】
【０００２】
従来、店頭や街頭などにおいて販売促進用のプラスチック製又は紙製のうちわが無料で配布されている。このようなうちわの扇部には、宣伝する商品の写真やイラスト、商品の名称、宣伝用のキャッチコピー、あるいは商品の説明などが表示されている。
【０００３】
一方、紙製のうちわを組み立てるうちわ展開シートを、切り取れるようにした厚紙シートが知られている（特許文献１参照）。
【０００４】
この厚紙シートは、新聞の折り込みや雑誌の付録などとして配布する販促品として使用されるものであり、その表面には広告などが印刷されている他に、展開シートを切り取るための切取線と折り目とが印刷されている。
【０００５】
そして、配布を受けた者は、厚紙シートの切取線に沿って展開シートを切り取ってから、展開シートの折り目に沿って折り畳んで、簡単な紙製のうちわを作ることができる。
【先行技術文献】
【特許文献】
【０００６】
【特許文献１】実用新案登録第３１６３９１０公報
【考案の概要】
【考案が解決しようとする課題】
【０００７】
従来例の販売促進用のうちわにおいては、あおいで風を起こす用途だけでは製品としての価値が低いので、街頭などでもらってもすぐに捨てられてしまうことが多く、宣伝効果が小さいという問題点を有している。
【０００８】
また、従来例の厚紙シートにおいては、展開シートを切り取ってから、折り目に沿って折り畳んでうちわを組み立てるのは面倒であり、結果的に捨てられてしまうことが多く、宣伝効果が小さいという問題点を有している。
【０００９】
従って、従来例における場合においては、うちわに何らかの機能を付け加えて付加価値を高め、より多くの人に使用されるようにして、商品等の宣伝効果を大きくすることに解決しなければならない課題を有している。
【課題を解決するための手段】
【００１０】
前記従来例の課題を解決するための本考案の要旨は、円形状又は楕円形状の２枚の厚紙材同士を貼り合わせて形成される扇部と、該扇部に設けられる把持用の把持手段とからなるうちわであって、前記扇部は、レンズ部材を有する窓部を設けると共に、前記レンズ部材の縁部が前記窓部の内周縁における前記厚紙材同士の間に挟持されて貼着していることである。
【００１１】
また、前記把持手段は、前記扇部に取り付けられた長板状の柄部又は前記扇部に設けられた指を差し入れるための孔部であること、；
前記レンズ部材は、シート状レンズ又はホログラムレンズであること、；
を含むものである。
【００１２】
更に、前記従来例の課題を解決するための本考案の要旨は、半円形状又は半楕円形状の厚紙材で形成され、該厚紙材の円形状側を扇部とし円形状側と反対側を把持部とするうちわであって、該把持部の両端部には、それぞれレンズ部材を有する窓部を設け、該窓部の近傍には、当該窓部を切り離すための切取線が設けられていることである。
【００１３】
また、前記レンズ部材の縁部が前記窓部の近傍に粘着テープ又は粘着剤で取り付けられていること、；
前記レンズ部材は、一方の窓部がシート状レンズであり、他方の窓部がホログラムレンズであること、；
を含むものである。
【考案の効果】
【００１４】
本考案に係るうちわによれば、扇部にレンズ部材を有する窓部を設けたので、うちわ本来のあおいで風を起こす用途の他に、ルーペとしての機能が付加される。
従って、販促品として配布される簡易なうちわであっても、付加価値が高くなるので、より多くの人に使用されることとなり、商品等の宣伝効果が大きくなるという優れた効果を奏する。
【００１５】
レンズ部材は、シート状レンズ又はホログラムレンズであることによって、シート状レンズの場合は、ルーペ（拡大鏡）としての機能を備え、ホログラムレンズの場合は、光源のキラキラとした虹色の光を楽しむことができるという優れた効果を奏する。
【００１６】
窓部の近傍には、当該窓部を切り離すための切取線が設けられていることによって、窓部を切り離してレンズ部材を単独で使用することができるので便利であるという優れた効果を奏する。
【００１７】
把持部の両端部には、それぞれレンズ部材を有する窓部を設け、レンズ部材は、一方の窓部がシート状レンズであり、他方の窓部がホログラムレンズであることによって、ルーペ（拡大鏡）として使用することができる他に、ホログラムレンズでは、光源のキラキラとした虹色の光を楽しむことができるという優れた効果を奏する。
【図面の簡単な説明】
【００１８】
【図１】本考案の第１実施例に係るうちわ１１の正面図である。
【図２】図１のＡ−Ａ線拡大断面図である。
【図３】本考案の第２実施例に係るうちわ２１の正面図である。
【図４】本考案の第３実施例に係るうちわ３１の正面図である。
【考案を実施するための形態】
【００１９】
販促品として配布される簡易なうちわの付加価値を高めて、より多くの人にうちわが使用されるようにして、商品等の宣伝効果を大きくするという目的を達成するために、うちわの扇部にレンズ部材を有する窓部を設けて、ルーペの機能を付加することにより実現した。
【実施例１】
【００２０】
次に、本考案の実施の形態について図面を参照しながら説明する。まず、図１及び図２において、符号１１は第１実施例のうちわを示し、このうちわ１１は、円形状又は楕円形状の２枚の厚紙材１２同士を貼り合わせて形成される扇部１３と、扇部１３に設けられる把持用の把持手段とから構成される。
【００２１】
扇部１３の表面又は裏面には、「レンズ付きうちわ」、「うちわとレンズ」の文字や、様々なキャッチコピー、絵、図柄、あるいは写真等が描かれる。
【００２２】
また、扇部１３は、円形の窓部１５が設けられている。窓部１５には、円形のレンズ部材１４が取り付けられている。
【００２３】
レンズ部材１４の直径は、窓部１５の直径よりもやや大きめに形成されている。このようなレンズ部材１４は、図２に示すように、外周縁（縁部）１４ａが窓部１５の内周縁１５ａにおける厚紙材１２同士の間に挟持されて貼着している。このようにレンズ部材１４が窓部１５に取り付けられているので、うちわ１１をあおいでも、扇部１３からレンズ部材１４が脱落することはない。
【００２４】
レンズ部材１４は、例えばフレネルレンズ等のシート状レンズ、又はホログラムレンズである。シート状レンズの場合は、ルーペ（拡大鏡）としての機能を備える。また、ホログラムレンズは、平面上シートあるいは凹面上シートに等間隔に多数の平行な溝を刻んだ回折格子であって、光源のキラキラとした虹色の光を楽しむことができる。
【００２５】
把持手段は、具体的には、扇部１３に取り付けられる長板状の柄部１６である。柄部１６は、プラスチック材で一体に形成される。
【００２６】
柄部１６の上部には、扇部１３を挟んで取り付ける取付部１６ａが連設されている。取付部１６ａは、その内側に図示しないホックが嵌合可能に設けられており、扇部１３を挟持して、ホック同士を嵌め合わせることによって、取付部１６ａを扇部１３に取り付けている。
【実施例２】
【００２７】
次に、図３に第２実施例に係るうちわ２１を示す。この第２実施例において、前記第１実施例のうちわ１１と同一部分には同一符号を付してその詳細は省略する。
【００２８】
この第２実施例のうちわ２１は、把持手段の具体例として、扇部１３に指を差し入れるための孔部２２が設けられている。
【００２９】
つまり、うちわ２１は、第１実施例のうちわ１１と比較すると、柄部１６を必要としないので、その分の材料と取付作業の手間が不要であって、コストダウンを図ることができる。
【実施例３】
【００３０】
次に、図４に第３実施例に係るうちわ３１を示す。この第３実施例において、前記第１実施例のうちわ１１と同一部分には同一符号を付してその詳細は省略する。
【００３１】
第３実施例のうちわ３１は、半円形状又は半楕円形状の厚紙材３２で形成され、厚紙材３２の円形状側３２ａを扇部３３とし、円形状側３２ａと反対側（基部側）３２ｂを把持部３４とする。
【００３２】（公序良俗違反につき、不掲載）【００３３】
把持部３４の両端部には、四角形状の窓部３６が設けられている。窓部３６には、四角形状のレンズ部材３５が取り付けられている。
【００３４】
レンズ部材３５の幅及び高さは、窓部３６の幅及び高さよりもやや大きめに形成されている。このようなレンズ部材３５は、図４に示すように、縁部３５ａが、窓部３６の近傍に沿って粘着テープ３７又は粘着剤で取り付けられている。従って、うちわ３１をあおいでも、扇部３３からレンズ部材３５が脱落することはない。
【００３５】
レンズ部材３５は、一方の窓部３６が例えばフレネルレンズ等のシート状レンズであり、他方の窓部３６がホログラムレンズである。上述したように、シート状レンズの場合は、ルーペ（拡大鏡）としての機能を備える。また、ホログラムレンズは、平面上シートあるいは凹面上シートに等間隔に多数の平行な溝を刻んだ回折格子であって、光源のキラキラとした虹色の光を楽しむことができる。
【００３６】
厚紙材３２における窓部３６に沿った位置には、当該窓部３６を切り離すための切取線３８が設けられている。この切取線３８に沿って切断すれば、窓部３６を切り離してレンズ部材３５を単独で使用することができる。
【００３７】
このように両側の窓部３６を切り離した場合には、さらに切取線３９に沿って余部４０を切り離して、把持部３４ａの形を使い勝手よく形成することができる。
【００３８】
以上のように構成されるうちわ１１、２１、３１は、扇部１３、３３にレンズ部材１４、３５を有する窓部１５、３２を設けたので、うちわ本来のあおいで風を起こす用途の他に、ルーペ（拡大鏡）としての機能が付加される。従って、販促品として配布される簡易なうちわの付加価値が高くなるので、より多くの人に使用されることとなり、商品等の宣伝効果が大きくなる。
【産業上の利用可能性】
【００３９】
本考案のうちわ１１、２１、３１は、主に販促品として店頭や街頭などで配布される簡易なうちわの改良に関するものであるが、必ずしも販促品に限定されることははなく、例えば、百貨店や雑貨店等で販売される、ある程度高価格なうちの扇部に、窓部とレンズ部材とを設けてもよいことは勿論である。
【符号の説明】
【００４０】
１１  第１実施例に係るうちわ
１２  厚紙材
１３  扇部
１４  レンズ部材
１４ａ  外周縁（縁部）
１５  窓部
１５ａ  内周縁
１６  柄部（把持手段）
１６ａ  取付部
２１  第２実施例に係るうちわ
２２  孔部（把持手段）
３１  第３実施例に係るうちわ
３２  厚紙材
３２ａ  円形状側
３２ｂ  反対側
３３  扇部
３４、３４ａ  把持部
３５  レンズ部材
３５ａ  縁部
３６  窓部
３７  粘着テープ
３８、３９  切取線
４０  余部
【図１】
0003171312.tif 000003
【図２】
0003171312.tif 000004
【図３】
0003171312.tif 000005
【図４】
0003171312.tif 000006
【手続補正書】
【提出日】平成23年8月19日(2011.8.19)
【手続補正１】
【補正対象書類名】明細書
【補正対象項目名】００１２
【補正方法】削除
【補正の内容】
【手続補正２】
【補正対象書類名】明細書
【補正対象項目名】００１３
【補正方法】削除
【補正の内容】
【手続補正３】
【補正対象書類名】明細書
【補正対象項目名】００１６
【補正方法】削除
【補正の内容】
【手続補正４】
【補正対象書類名】明細書
【補正対象項目名】００１７
【補正方法】削除
【補正の内容】
【手続補正５】
【補正対象書類名】明細書
【補正対象項目名】００１８
【補正方法】変更
【補正の内容】
【００１８】
【図１】本考案の第１実施例に係るうちわ１１の正面図である。
【図２】図１のＡ−Ａ線拡大断面図である。
【図３】本考案の第２実施例に係るうちわ２１の正面図である。
【手続補正６】
【補正対象書類名】明細書
【補正対象項目名】００３０
【補正方法】削除
【補正の内容】
【手続補正７】
【補正対象書類名】明細書
【補正対象項目名】００３１
【補正方法】削除
【補正の内容】
【手続補正８】
【補正対象書類名】明細書
【補正対象項目名】００３２
【補正方法】削除
【補正の内容】
【手続補正９】
【補正対象書類名】明細書
【補正対象項目名】００３３
【補正方法】削除
【補正の内容】
【手続補正１０】
【補正対象書類名】明細書
【補正対象項目名】００３４
【補正方法】削除
【補正の内容】
【手続補正１１】
【補正対象書類名】明細書
【補正対象項目名】００３５
【補正方法】削除
【補正の内容】
【手続補正１２】
【補正対象書類名】明細書
【補正対象項目名】００３６
【補正方法】削除
【補正の内容】
【手続補正１３】
【補正対象書類名】明細書
【補正対象項目名】００３７
【補正方法】削除
【補正の内容】
【手続補正１４】
【補正対象書類名】明細書
【補正対象項目名】００３８
【補正方法】削除
【補正の内容】
【手続補正１５】
【補正対象書類名】明細書
【補正対象項目名】００３９
【補正方法】変更
【補正の内容】
【００３９】
本考案のうちわ１１、２１は、主に販促品として店頭や街頭などで配布される簡易なうちわの改良に関するものであるが、必ずしも販促品に限定されることははなく、例えば、百貨店や雑貨店等で販売される、ある程度高価格なうちの扇部に、窓部とレンズ部材とを設けてもよいことは勿論である。
【手続補正１６】
【補正対象書類名】明細書
【補正対象項目名】００４０
【補正方法】変更
【補正の内容】
【００４０】
１１  第１実施例に係るうちわ
１２  厚紙材
１３  扇部
１４  レンズ部材
１４ａ  外周縁（縁部）
１５  窓部
１５ａ  内周縁
１６  柄部（把持手段）
１６ａ  取付部
２１  第２実施例に係るうちわ
２２  孔部（把持手段）
【手続補正１７】
【補正対象書類名】実用新案登録請求の範囲
【補正対象項目名】全文
【補正方法】変更
【補正の内容】
【実用新案登録請求の範囲】
【請求項１】
円形状又は楕円形状の２枚の厚紙材同士を貼り合わせて形成される扇部と、該扇部に設けられる把持用の把持手段とからなるうちわであって、
前記扇部は、レンズ部材を有する窓部を設けると共に、前記レンズ部材の縁部が前記窓部の内周縁における前記厚紙材同士の間に挟持されて貼着していること
を特徴とするうちわ。
【請求項２】
前記把持手段は、前記扇部に取り付けられた長板状の柄部又は前記扇部に設けられた指を差し入れるための孔部であること
を特徴とする請求項１に記載のうちわ。
【請求項３】
前記レンズ部材は、シート状レンズ又はホログラムレンズであること
を特徴とする請求項１に記載のうちわ。
【手続補正１８】
【補正対象書類名】図面
【補正対象項目名】図４
【補正方法】削除
【補正の内容】